(57)【要約】【課題】製袋後のバッグ本体に所望の抽出性や粉漏れ防止機能等を併せて持たせることができる包装材シートの提供。【解決手段】帯状のメッシュ状織物５と帯状の不織布７とが側縁で接合されて一体になっている。これに吊下げ糸１１が取付けられている。この包装材シート１のシート本体３をテトラ状に製袋すると共に茶葉等を充填して、抽出用バッグを製造すると、吊下げ糸１１で吊下げたときにバッグ本体１３の上部側には不織布７がくるので、商品としての粉漏れを十分に防止できる。また、十分な面積のメッシュ状織物５が下側にくるので抽出性も十分に確保できる。さらに、バッグ本体１３が二種類の帯状材の意外な組み合わせにより構成されているので、外観的にも面白い商品となる。加えて、一部が不織布で構成されているので、全体としての価格も抑えられたものとなる。【選択図】        図１
2011255924.tif 000002
【特許請求の範囲】
【請求項１】
製袋されてバッグ本体となる包装材シートにおいて、
帯状の不織布と帯状のメッシュ状織物とが側縁で接合されて一体になっていることを特徴とする包装材シート。
【請求項２】
請求項１に記載した包装材シートにおいて、
不織布とメッシュ状織物との配置方向及び／または面積比が任意になっていることを特徴とする包装材シート。
【請求項３】
請求項１または２に記載した包装材シートにおいて、
不織物を挟んでその両側にメッシュ状織物が接合され、または、メッシュ状織物を挟んでその両側に不織布が接合され、いずれか一端側に吊下げ糸が取り付けられてなることを特徴とする包装材シート。
【請求項４】
請求項１から３のいずれかに記載した包装材シートが製袋されてなるテトラ状のバッグ本体を備えることを特徴とする抽出用バッグ。
【請求項５】
請求項１または２に記載した包装材シートにおいて、
メッシュ状織物を挟んでその両側に不織布が接合され、その両側の不織布にそれぞれホルダーが取り付けられていることを特徴とする包装材シート。
【請求項６】
請求項５に記載した包装材シートが製袋されたバッグ本体とホルダーを備える抽出用バッグにおいて、
前記バッグ本体は閉鎖されており、閉鎖部はメッシュ状織物で前記バッグ本体は不織布でそれぞれ構成されており、前記バッグ本体の外面に前記ホルダーが取り付けられていることを特徴とする抽出用バッグである。
【発明の詳細な説明】
【技術分野】
【０００１】
本発明は、包装材シートと、この包装材シートを用いて製袋充填により製造された抽出用バッグに関するものである。
【背景技術】
【０００２】
従来から、茶葉等を抽出するための抽出用バッグはあるが、大別すると特許文献１と特許文献２に記載されたものである。
特許文献１に記載されたものは、茶葉等が充填されたバッグ本体と、前記バッグ本体に基端側が固着され、且つ遊端側にタグが固着された吊下げ糸とから成っている。
この抽出用バッグを使用して茶葉等を抽出する場合には、タグを手で持ち、湯の入ったカップ等にバッグ本体を入れて茶等を水中に抽出させる。そして、抽出後には、タグを持ち上げて、バッグ本体をカップから引き上げる。
【０００３】
特許文献２に記載されたものは、茶葉等が充填されたバッグ本体と、前記バッグ本体を支持するホルダーとから成っている。
この抽出用バッグを使用して茶葉等を抽出する場合には、ホルダーをカップ等の縁に掛けたりして湯をバッグ本体内に注いて茶等を水中に抽出させる。そして、抽出後には、ホルダーをカップから取り外して、バッグ本体をカップから引き上げる。
【先行技術文献】
【特許文献】
【０００４】
【特許文献１】特開２００８−１５００７１号公報
【特許文献２】特開２００４−２４２８４７号公報
【発明の概要】
【発明が解決しようとする課題】
【０００５】
而して、バッグ本体は、通常、茶葉のように抽出し易さを優先する場合には、特許文献１のタイプで、透液性の良いメッシュ状織物で構成されたものが好まれており、湯温への耐久性等からナイロン製のものが広く使用されている。しかしながら、メッシュ状織物は透液性に優れて抽出し易い半面、被充填物からの粉漏れも発生し易い。また、メッシュ状織物は概して価格が高い。
また、バッグ本体は、通常、コーヒー粉のように粉漏れ防止や油脂分の吸着除去を優先する場合には、特許文献２のタイプで、フィルター機能に優れた不織布で構成されたものが広く使用されている。しかしながら、不織布は透液性が上記した織物よりは劣るので、抽出に時間がかかるわりに味が薄かったりする。また、通水性を優先して通常上側を開口しているが、粉がこぼれ出易い上に熱も逃げ易く、確実に蒸らすことが難しい。
【０００６】
さらに、連続した長尺の包装材シートを原反とし、これを順次切断・接合してバッグ本体に製袋しており、この製袋を被充填物の充填と共に行う製袋充填装置が従来からあることから、この種の装置をそのまま引き続き利用できれば、経済的である。
【０００７】
本発明は上記従来の問題点に着目して為されたものであり、従来の慣用的な製袋充填装置にかけて製袋できる包装材シートであって、製袋後のバッグ本体に所望の抽出性や粉漏れ防止機能等を併せて持たせることができる包装材シートを提供することを目的とする。
また、本発明は、上記した包装材シートを用いて製造された抽出用バッグを提供することを目的とする。
【課題を解決するための手段】
【０００８】
本発明は上記課題を解決するためになされたものであり、請求項１の発明は、  製袋されてバッグ本体となる包装材シートにおいて、帯状の不織布と帯状のメッシュ状織物とが側縁で接合されて一体になっていることを特徴とする包装材シートである。
【０００９】
請求項２の発明は、請求項１に記載した包装材シートにおいて、不織布とメッシュ状織物との配置方向及び／または面積比が任意になっていることを特徴とする包装材シートである。
【００１０】
請求項３の発明は、請求項１または２に記載した包装材シートにおいて、不織物を挟んでその両側にメッシュ状織物が接合され、または、メッシュ状織物を挟んでその両側に不織布が接合され、いずれか一端側に吊下げ糸が取り付けられてなることを特徴とする包装材シートである。
【００１１】
請求項４の発明は、請求項１から３のいずれかに記載した包装材シートが製袋されてなるテトラ状のバッグ本体を備えることを特徴とする抽出用バッグである。
【００１２】
請求項５の発明は、請求項１または２に記載した包装材シートにおいて、メッシュ状織物を挟んでその両側に不織布が接合され、その両側の不織布にそれぞれホルダーが取り付けられていることを特徴とする包装材シートである。
【００１３】
請求項６の発明は、請求項５に記載した包装材シートが製袋されたバッグ本体とホルダーを備える抽出用バッグにおいて、前記バッグ本体は閉鎖されており、閉鎖部はメッシュ状織物で前記バッグ本体は不織布でそれぞれ構成されており、前記バッグ本体の外面に前記ホルダーが取り付けられていることを特徴とする抽出用バッグである。
【発明の効果】
【００１４】
本発明の包装材シートによれば、製袋後のバッグ本体に所望の抽出性や粉漏れ防止機能等を併せて持たせることができる。
また、この包装材シートは従来の慣用的な製袋充填装置にかけてバッグ本体に製袋できる。
【図面の簡単な説明】
【００１５】
【図１】本発明の第１の実施の形態に係る包装材シートの上面図である。
【図２】図１の包装材シートの１カット分の上面図である。
【図３】図１の包装材シートからバッグ本体に製袋されていく過程を示す説明図である。
【図４】図１の包装材シートを用いて製造した抽出用バッグの斜視図である。
【図５】本発明の第２の実施の形態に係る包装材シートの上面図である。
【図６】図５の包装材シートを用いて製造した抽出用バッグの斜視図である。
【図７】本発明の第３の実施の形態に係る包装材シートの上面図である。
【図８】図７の包装材シートの１カット分の上面図である。
【図９】図７の包装材シートを用いて製造した抽出用バッグの斜視図である。
【図１０】図９の抽出用バッグの断面図である。
【発明を実施するための形態】
【００１６】
本発明の第１の実施の形態に係る包装材シート１とその包装材シート１を用いて製造した抽出用バッグ１９を、図１から図４にしたがって説明する。
先ず、包装材シート１の構成を図１、図２にしたがって説明する。
図１に示すように、包装材シート１のシート本体３は連続した長尺の帯状のシート材からなり、このシート本体３の中間部は帯状のメッシュ状織物５で構成されており、そのメッシュ状織物５を挟んでその左右両側は帯状の不織布７で構成されている。メッシュ状織物５と不織布７は長手方向側の側縁がお互いに合わされヒートシールにより接合されて一体のシート本体３になっている。
メッシュ状織物５の幅はシート本体３の全幅の２／３程度になっており、両側の不織布７がそれぞれ１／６程度ずつになっている。
なお、図１はシート本体３の外面を示している。
【００１７】
メッシュ状織物５は、透液性のものであり、この実施の形態ではＰＥＴ（ポリエチレンテレフタレート）メッシュで構成されているが、特にこれに限定されるものではなく、接合相手である不織布７との接合性や想定される湯温への耐久性が担保されればよい。
また、不織布７は、透液性のものであり、この実施の形態ではＰＥＴ（ポリエチレンテレフタレート）繊維で構成されているが、特にこれに限定されるものではなく、接合相手であるメッシュ状織物５との接合性や想定される湯温への耐久性が担保されればよい。
メッシュ状織物５の孔径や不織布７の目付等は任意に調整できるが、通常はメッシュ状織物５の方が通水性が良く、不織布７の方が粉漏れを阻止したり、被抽出物に付着しているもの、例えば油脂分を吸着除去したりするのに適している。このように、メッシュ状織物５と不織布７とで、特性が異なる。
【００１８】
上記したシート本体３にタグ９の付いた吊下げ糸１１が取り付けられている。
【００１９】
この包装材シート１は複数のバッグ本体用のシートであり、カットされて一つのバッグ本体１３（図３）に製袋される。図２はこの１カット分を示す。
縦方向の一点鎖線ａが縦方向のシールアンドカットの予定ラインになり、左右両側縁の近傍にそれぞれ位置している。そして、横方向の上下輪郭線ｂ、ｂが横方向のシールアンドカットの予定ラインになっている。
また、この実施の形態ではバッグ本体１３はテトラ状に製袋化されるので、点線と予定ラインｂで囲まれた部分が、立体に展開されたときにテトラ状に保形する４つの三角面となる。なお、一つの三角面は二分割されており、それぞれ両側に配置されているが、そこに吊下げ糸１１とタグ９がそれぞれ取り付けられている。
【００２０】
吊下げ糸１１の基端部はシート本体３に対して右側の予定ラインａの下端近くの近傍でシールされている。吊下げ糸１１はシート本体３を横断しており、タグ９は左側の予定ラインａの上端の近傍で仮シールされている。
【００２１】
次に、上記した包装材シート１の製袋化を、図３にしたがって説明する。
シート本体３が下方に送られていき、その過程でシールアンドカットによる製袋と茶葉Ｔの充填が行われていく。先ず、長手方向側の両側の側縁が合掌され、予定ラインａに沿ってシールアンドカットが施されて縦シール部１５が形成される。これによりシート本体３は筒状に成形されたことになる。
その後、予定ラインｂに沿ってＡ−Ｂ方向にシールアンドカットが施されて下側の横シール部１７が形成される。そして、茶葉Ｔが充填された後に、今度はＡ−Ｂ方向と直交するＣ−Ｄ方向にシールアンドカットが施されて上側の横シール部１７が形成される。これによりバッグ本体１３が完成する。
一つのバッグ本体１３について上側の横シール部１７が形成されると共に、後続のバッグ本体１３の下側の横シール部１７が形成されることになり、順次バッグ本体１３が製造されていく。
いずれの方向のシールアンドカットも、超音波ホーンと受け部とからなるシール手段Ｓにより行われている。
【００２２】
バッグ本体１３内には茶葉Ｔが充填されており、完成品の抽出用バッグ１９になっている。
図４に示すように、この抽出用バッグ１９のタグ９を手で持って吊下げ糸１１を下ろすと、バッグ本体１３の上部側に不織布７がきて、下部側にメッシュ状織物５がくる。
【００２３】
この抽出用バッグ１９によれば、バッグ本体１３の上部側に不織布７がきているので商品としての粉漏れは十分に防止される。また、十分な面積のメッシュ状織物５が下側にきているので抽出性も十分に確保されている。さらに、バッグ本体１３はテトラ状に大きく開けるので、バッグ本体１３内での茶葉Ｔの流動性も十分に確保されている。
さらに、バッグ本体１３が二種類の帯状材の意外な組み合わせにより構成されているので、外観的にも面白い商品となっている。
加えて、一部が不織布で構成されているので、製造価格を抑えることができる。
【００２４】
第２の実施の形態を、図５、図６にしたがって説明する。
図５に示すように、包装材シート２１のシート本体２３は、第１の実施の形態とメッシュ状織物５と不織布７が逆に配置されている点が異なる。
このシート本体２３を用いて製袋されたバッグ本体２５を吊下げると、図６に示すように、第１の実施の形態のバッグ本体１３とは逆に、バッグ本体２５の上部側にメッシュ状織物５がきて、下部側に不織布７がくる。
【００２５】
このバッグ本体２５にはコーヒー粉Ｐが充填されており、粉漏れと共に油脂分の漏れ出しが防止される必要があるが、上記のようにして製造された抽出用バッグ２７では、バッグ本体２５の下部側に不織布７がきているので、これらが十分に防止される。また、十分な面積のメッシュ状織物５が上側にきているのでそこを介して十分に通水させると共に熱が逃げないようにできる。したがって、そこから通水させることで最初の段階で確実に蒸らしたり、従来の抽出用バッグを使用した場合より抽出時間を短くしても濃い味に抽出したりすることができる。
また、メッシュ状織物５を通してコーヒー粉Ｐを視認できるので、外観的にも面白い商品となる。
このように、被充填物の種類に応じて、シート本体２３におけるメッシュ状織物５と不織布７との配置や割合を変更することで、被充填物の種類に応じてその被充填物を美味しく抽出でき、しかも、外観的にも楽しい商品として提供できる。
【００２６】
第３の実施の形態を、図７から図１０にしたがって説明する。
図７に示すように、包装材シート２９のシート本体３１の中間部は帯状のメッシュ状織物５で構成されており、その両側は帯状の不織布７で構成されている。そして、メッシュ状織物５と不織布７は長手方向側の側縁がお互いに合わされヒートシールにより接合されて一体のシート本体３１になっている。両側の不織布７は同じ幅寸法になっており、中間のメッシュ状織物５の幅寸法は不織布７より若干大きくなっている。なお、図７は、シート本体３１の外面を示している。
メッシュ状織物５と不織布７は、第１の実施の形態で用いられたものと同じである。
【００２７】
符号３３はホルダーを示し、このホルダー３３は両側の不織布７の外面上にそれぞれ対向した状態で固着されて取り付けられている。このホルダー３３の掛止め片３５はほぼ半円環状に構成されており、引き起こし可能になっている。
【００２８】
この包装材シート２９は複数のバッグ本体用のシートであり、カットされて一つのシート本体３１に製袋される。図８はこの１カット分を示す。
縦方向の一点鎖線ｃが縦方向のシールアンドカットの予定ラインになり、左右両側縁の近傍にそれぞれ位置している。そして、横方向の上下輪郭線ｄ、ｄが横方向のシールアンドカットの予定ラインになっている。
【００２９】
例えば、出願人の特開２００６−３２０５９７号公報に記載の製袋充填装置にかけることで製袋と共に充填ができる。
この装置にかけた場合には、包装材シート２９のシート本体３１が下方に送られていき、その過程でシールアンドカットによる製袋とコーヒー粉Ｐの充填が行われて製袋充填されていく。先ず、長手方向側の両側の側縁が合掌され、予定ラインｃに沿ってシールアンドカットが施されて縦シール部３７が形成される。これによりシート本体３１は筒状に成形されたことになる。
その後、メッシュ状織物５部分の折り目線ｆが谷折りされ、折り目線ｅが山折りされて内側に折り込まれた状態で、予定ラインｄに沿ってシールアンドカットが施される。したがって、メッシュ状織物５を挟み込んだ状態で下側の横シール部３９が形成される。そして、コーヒー粉Ｐが充填された後に、さらにシールアンドカットが施されて上側の横シール部３９が形成される。これによりバッグ本体４１が完成する。
一つのバッグ本体４１について上側の横シール部３９が形成されると共に、後続のバッグ本体４１の下側の横シール部３９が形成されることになり、順次バッグ本体４１が製造されていく。
【００３０】
図９に示すように、バッグ本体４１は袋体とその袋体を閉鎖する閉鎖部とで構成されており、袋体側は不織布７で構成され、閉鎖部側はメッシュ状織物５で構成されている。メッシュ状織物５は内側に折り込まれており、その両縁が袋体の両端縁と共にシールされて袋体内を閉鎖している。
そして、図１０に示すように、被充填物であるコーヒー粉Ｐがメッシュ状織物５と不織布７との間の閉鎖空間に充填されて、抽出用バッグ４３になっている。
【００３１】
バッグ本体４１の閉鎖部がメッシュ状織物５で構成されているので、そこを介して十分に通水させると共に熱が逃げないようにもできる。したがって、そこから通水させることで最初の段階でコーヒー粉Ｐを確実に蒸らすことができる。また、コーヒー粉Ｐが不用意にこぼれ落ちたりすることがない。さらに、メッシュ状織物５を通してコーヒー粉Ｐを視認できるので、外観的にも面白い商品となる。
【００３２】
以上、本発明の実施の形態について詳述してきたが、具体的構成は、この実施の形態に限られるものではなく、本発明の要旨を逸脱しない範囲における設計の変更などがあっても発明に含まれる。
例えば、バッグ本体の形状は、上記した実施の形態に限らない。また、ホルダーは上記したカップの縁に掛止めるタイプのものの他、カップの縁上に載置するタイプのものであってもよい。さらに、吊下げ糸やホルダーが無いものでもよい。
【産業上の利用可能性】
【００３３】
本発明は、抽出用バッグや抽出用バッグのバッグ本体製造用の包装材シートの製造業に利用可能である。
【符号の説明】
【００３４】
１…包装材シート（第１の実施の形態）      ３…シート本体
５…メッシュ状織物                    ７…不織布
９…タグ                            １１…吊下げ糸
１３…バッグ本体                      １５…縦シール部
１７…横シール部                      １９…抽出用バッグ
２１…包装材シート（第２の実施の形態）    ２３…シート本体
２５…バッグ本体                      ２７…抽出用バッグ
２９…包装材シート（第３の実施の形態）    ３１…シート本体
３３…ホルダー                        ３５…掛止め片
３７…縦シール部                      ３９…横シール部
４１…バッグ本体                      ４３…抽出用バッグ
Ｔ…茶葉        Ｐ…コーヒー粉        Ｓ…シール手段
【図１】
2011255924.tif 000003
【図２】
2011255924.tif 000004
【図３】
2011255924.tif 000005
【図４】
2011255924.tif 000006
【図５】
2011255924.tif 000007
【図６】
2011255924.tif 000008
【図７】
2011255924.tif 000009
【図８】
2011255924.tif 000010
【図９】
2011255924.tif 000011
【図１０】
2011255924.tif 000012